(57)【要約】【課題】  電源投入時に液晶に不必要な電圧が印加されることを防いで、表示不具合を抑制する。【解決手段】  表示駆動用の電源電圧として通常の電源電圧ＶＤＤを昇電圧して出力電圧ＧＶＤＤを得るチャージポンプ回路を有するアクティブマトリクス型液晶表示装置において、外部制御信号ＳＣＫの開始タイミングを液晶表示部１１の表示開始タイミングと同じに制御して、表示期間ｂ前にチャージポンプ回路を動作させないようにする。また、初期化信号ＩＮＩをチャージポンプ回路に入力し、初期化信号ＩＮＩに基づいてチャージポンプ回路を表示期間ｂ前に動作させないようにするか、または出力電圧ＧＶＤＤを出力させないように停止制御をする。これにより、表示期間ｂ前に補助容量Ｃｓの他方電極に出力電圧ＧＶＤＤは印加されない。【選択図】  図１
2005091636.tif 000002
【特許請求の範囲】
【請求項１】
外部制御信号を出力可能とする制御信号出力手段と、該外部制御信号により電源電圧を所定の電圧に昇電圧開始して表示部に表示駆動用電圧として出力する昇電圧回路とを有する表示装置において、
該制御信号出力手段は、該昇電圧回路への外部制御信号の出力開始タイミングを、該表示部の表示開始タイミングから所定期間内に行うように出力制御する表示装置。
【請求項２】
前記制御信号出力手段は、前記昇電圧回路への外部制御信号の出力開始タイミングを、前記表示部の表示開始タイミングに合わせるように出力制御する請求項１に記載の表示装置。
【請求項３】
入力外部制御信号により電源電圧を所定の電圧に昇電圧開始して表示部に表示駆動用電圧として出力する昇電圧回路を有し、入力初期化信号に基づく該表示部の初期化期間の後に表示動作を行う表示装置において、
該昇電圧回路は、該初期化信号に基づいて該表示部の表示開始タイミングまたは、該表示開始タイミングから所定期間まで昇電圧出力を停止制御する表示装置。
【請求項４】
前記昇電圧回路は、前記初期化信号に基づいて前記表示部の表示開始タイミングまたは、該表示開始タイミングから所定期間まで昇電圧動作を停止制御する請求項３に記載の表示装置。
【請求項５】
前記表示部は、走査配線が平行に複数設けられ、信号配線が該複数の走査配線と交叉するように平行に複数設けられ、両配線の交叉部毎に画素部がそれぞれマトリクス状に配設された請求項１または３に記載の表示装置。
【請求項６】
前記画素部は、前記交叉部近傍の走査配線が制御領域に接続され、該交叉部近傍の信号配線が一方駆動領域に接続されたスイッチング素子と、該スイッチング素子の他方駆動領域に接続された画素容量部および補助容量部とを有する請求項５に記載の表示装置。
【請求項７】
前記走査配線を選択的に順次駆動するゲートドライバと、前記信号配線を選択的に順次駆動するデータドライバとを有する請求項５または６に記載の表示装置。
【請求項８】
前記昇電圧回路は、外部制御信号および初期化信号を入力として内部信号を出力する入力制御部と、該内部信号に基づいて昇電圧動作を開始する昇電圧部とを有する請求項３または４に記載の表示装置。
【請求項９】
前記入力制御部は、前記初期化信号が”Ｈ”レベルのときに前記昇電圧部が非アクティブとなる信号を該内部信号として該昇電圧部に出力し、該初期化信号が”Ｌ”レベルのときに前記外部制御信号をそのまま該内部信号として該昇電圧部に出力するように制御する請求項８に記載の表示装置。
【請求項１０】
前記入力制御部は、前記初期化信号を入力端に入力する信号反転手段と、該信号反転手段からの出力および前記外部制御信号をそれぞれ両入力とする論理和手段とを有する請求項８または９に記載の表示装置。
【請求項１１】
前記昇電圧回路は、前記外部制御信号に基づいて昇電圧動作を開始して昇電圧した出力電圧を出力する昇電圧部と、前記初期化信号および該出力電圧を入力とし、初期化信号に基づく前記表示部の初期化期間の終了時から所定期間内に該出力電圧を出力制御する出力制御部とを有する請求項３に記載の表示装置。
【請求項１２】
前記出力制御部は、前記初期化信号が”Ｈ”レベルのときにグランドレベルの出力電圧を出力し、該初期化信号が”Ｌ”レベルのときに該昇電圧部で昇電圧した出力電圧を出力する請求項１１に記載の表示装置。
【請求項１３】
前記出力制御部は、前記初期化信号に基づいて出力を切り換えるスイッチング手段を有する請求項１１または１２に記載の表示装置。
【請求項１４】
前記初期化信号は、前記ゲートドライバの初期化信号を用いている請求項７に記載の表示装置。
【請求項１５】
前記外部制御信号は、前記データドライバのクロック信号を用いている請求項７に記載の表示装置。
【請求項１６】
前記表示部の表示期間には、前記補助容量部のスイッチング素子側とは反対側の電極に、前記昇電圧回路で昇電圧した出力電圧が印加されている請求項６に記載の表示装置。
【請求項１７】
前記表示部の初期化期間には、前記補助容量部のスイッチング素子側とは反対側の電極に、前記液晶容量部のスイッチング素子側とは反対側の対向電極に印加される対向電圧レベルと同じレベルの電圧が印加されている請求項６または１６に記載の表示装置。
【請求項１８】
前記昇電圧回路で昇電圧した出力電圧は、前記スイッチング素子の制御電圧にも用いられている請求項６または７に記載の表示装置。
【請求項１９】
前記表示部、データドライバ、ゲートドライバおよび昇電圧回路は、低温プロセスで作製されたポリシリコンを用いて構成されている請求項７に記載の表示装置。
【請求項２０】
前記表示部は反射型表示モードを有する請求項１または３に記載の表示装置。
【請求項２１】
前記昇電圧回路はチャージポンプ回路である請求項１または３に記載の表示装置。
【請求項２２】
入力された外部制御信号に基づいて電源電圧を昇電圧開始して得た表示駆動用電圧を用いて表示部に表示を行う表示装置の駆動方法において、
該表示部による表示期間直前の初期化期間の終了時から所定期間内に、該外部制御信号の出力を開始して、表示するために該電源電圧を昇電圧開始する表示装置の駆動方法。
【請求項２３】
入力された外部制御信号に基づいて電源電圧を昇電圧開始して表示部に表示駆動用電圧として出力して、入力された初期化信号に基づく該表示部の初期化期間の後に表示動作を行う表示装置の駆動方法において、
該初期化信号による該表示部の表示開始タイミングまたは、該表示開始タイミンから所定期間まで昇電圧出力を停止制御する表示装置の駆動方法。
【請求項２４】
入力された外部制御信号に基づいて電源電圧を昇電圧開始して表示部に表示駆動用電圧として出力して、入力された初期化信号に基づく該表示部の初期化期間の後に表示動作を行う表示装置の駆動方法において、
前記初期化信号による該表示部の表示開始タイミングまたは、該表示開始タイミングから所定期間まで昇電圧動作を停止制御する表示装置の駆動方法。
【発明の詳細な説明】
【技術分野】
【０００１】
本発明は、例えば携帯電話装置、液晶テレビジョンおよびパーソナルコンピュータなどの表示画面部に用いられるアクティブマトリックス型液晶表示装置などの表示装置およびその駆動方法に関する。
【背景技術】
【０００２】
従来、この種の液晶表示装置として、ＴＦＴ（Ｔｈｉｎ  Ｆｉｌｍ  Ｔｒａｎｓｉｓｔｅｒ；薄膜トランジスタ）を用いたアクティブマトリクス方式の液晶表示装置（アクティブマトリクス型液晶表示装置）が知られている。
【０００３】
図１２は、従来のアクティブマトリクス型液晶表示装置の要部構成を示すブロック図である。
【０００４】
図１２に示すように、従来のアクティブマトリクス型液晶表示装置１００は、画像表示画面部を構成する液晶パネル１と、これを表示制御する制御信号として初期化信号ＩＮＩおよび外部制御信号ＳＣＫを出力する制御信号出力部２とを有している。
【０００５】
液晶パネル１は、各画素部毎にスイッチング素子（ＴＦＴ）および画素電極ＶＤが設けたれたアクティブマトリクス基板（ＴＦＴ基板）と、これに対向して配設され、これらの間に表示媒体としての液晶材料を挟持し、対向電極ＶＣＯＭを備えた対向基板（図示せず）とを有しており、アクティブマトリクス型液晶表示部１１を中央部に設け、その周辺部に、データドライバ１２と、ゲートドライバ１３と、チャージポンプ回路１４とを設けている。
【０００６】
液晶表示部１１には、複数のデータライン（データ信号線）１１１と複数のゲートライン（走査信号線）１１２とが、互いに交叉（または直交）するように配設されており、この交叉部毎に画素部Ｃｘｙ（Ｃ１１、Ｃ１２、ｍ・・・、Ｃｘ１、・・・、Ｃｙ１、・・・、Ｃｘｙ、以下、画素部Ｃという）が設けられている。ゲートライン１１２は、液晶パネル１中で画素電極ＶＤに接続されたＴＦＴをＯＮ／ＯＦＦするための走査信号ラインであり、データライン１１１は、液晶パネル１中のＴＦＴを介して画素電極ＶＤから液晶に表示電圧を与えるための信号ラインである。
【０００７】
この各画素部Ｃは、画素電極ＶＤと対向電極ＶＣＯＭ間に液晶材料を挟持して構成されており、マトリクス状に複数配置されている。この画素部Ｃの画素電極ＶＤは、液晶駆動用ＴＦＴｘｙ（以下、ＴＦＴという）を介して、データライン１１１とゲートライン１１２とに接続されている。即ち、ＴＦＴの制御端子（ゲート端子）は、交叉部近傍のゲートライン１１２に接続され、その一方駆動端子（ソース端子）は、交叉部近傍のデータライン１１１に接続され、その他方駆動端子（ドレイン端子）は画素電極ＶＤに接続されている。
【０００８】
また、画素部Ｃは、画素容量の他に、ＴＦＴ側が補助容量Ｃｓｘｙ（以下、補助容量Ｃｓという）の一方電極とも接続されており、補助容量ＣｓはＴＦＴと反対側が電圧ＧＶＤＤが印加される他方電極と接続されている。
【０００９】
データドライバ１２は、表示信号を選択的に出力することにより各データライン１１１を順次駆動する。
【００１０】
ゲートドライバ１３は、走査信号を選択的に出力することにより各ゲートライン１１２を順次駆動する。
【００１１】
チャージポンプ回路１４では、入力される電源電圧ＶＤＤが、制御信号出力部２からの外部制御信号ＳＣＫによって昇圧され、その出力電圧ＧＶＤＤが作成される。この出力電圧ＧＶＤＤは、補助容量Ｃｓ以外に、ゲートドライバ１３にも入力されており、出力電圧ＧＶＤＤがＴＦＴをＯＮするためのスイッチング電圧（走査信号；制御電圧）としても使用されている。
【００１２】
以上の液晶パネル１は、低温プロセスにより作製されたポリシリコンを用い、図１２に示すような回路構成を各１枚のガラス基板上に構成したアクティブマトリクス基板（ＴＦＴ基板）および対向基板とすることが可能である。この場合に、制御信号出力部２は、液晶パネル１内に設けることもできる。
【００１３】
なお、補助容量Ｃｓの他方電極を、電圧ＧＶＤＤなどの高い電圧供給端に接続する従来技術として、例えば特許文献１では、補助容量Ｃｓを最大容量値付近で用いるために、一番電圧が高い電圧ＧＶＤＤを補助容量Ｃｓの他方電極に入力している。また、上記構成のように、液晶表示部１１と同一ガラス基板（ＴＦＴ基板）上にチャージポンプ回路１４を形成する従来技術として、例えば特許文献２には、ガラス基板上の薄膜トランジスタと外付け容量素子とによってＤＣ／ＤＣコンバータを構成することが記載されている。
【００１４】
上記構成により、従来のアクティブマトリクス型液晶表示装置１００の動作について説明する。
【００１５】
図１３は、図１２の制御信号出力部２から液晶パネル１に入力される各信号電圧、電源電圧、図１２のチャージポンプ回路１４の出力電圧の信号波形図である。図１３では、入力電源電圧ＶＤＤ、初期化信号ＩＮＩ、外部制御信号ＳＣＫおよび、チャージポンプ回路１４からの出力電圧ＧＶＤＤについて、電源投入時に、入力電源電圧ＶＤＤがＧＮＤレベルより所定の電源電圧まで上昇し、実際に液晶表示が開始されるまでの期間の電源投入部分を示している。
【００１６】
図１３に示すように、入力電源電圧ＶＤＤがＧＮＤレベルから所定の電源電圧レベルまで上昇する際に、まず、制御信号出力部２からゲートドライバ１３への初期化信号ＩＮＩが立ち上げられる。この初期化信号ＩＮＩは、その文字通りゲートドライバ１３の初期化などに利用される。この初期化信号ＩＮＩが“Ｈ”レベルである期間を初期化期間ａという。この初期化期間ａでは、データドライバ１２およびゲートドライバ１３は動作されないため、液晶表示部１１は動作されておらず、液晶表示は行われない。
【００１７】
次に、制御信号出力部２からチャージポンプ回路１４に、初期化期間ａの途中から外部制御信号ＳＣＫが入力されることにより、チャージポンプ回路１４の駆動が開始され、チャージポンプ回路１４からの出力電圧ＧＶＤＤが所定時間後に安定した電圧レベルに達する。
【００１８】
その後、初期化信号ＩＮＩが立ち下げられて初期化期間ａが終わった後、各種の液晶駆動用信号（図示せず）が液晶パネル１内のデータドライバ１２およびゲートドライバ１３などに入力され、液晶表示部１１に所望の表示が開始される。この期間を表示期間ｂという。
【００１９】
なお、上記初期化期間ａと外部制御信号ＳＣＫの開始タイミングについては、外部制御信号ＳＣＫの開始タイミングからチャージポンプ回路１４の出力電圧ＧＶＤＤが安定するまでが初期化期間ａであればよく、チャージポンプ回路１４の特性によって、任意に設定することが可能である。また、初期化期間ａの開始後、すぐに外部制御信号ＳＣＫを開始させることも可能であるが、本願発明とは特に関係がなく、説明を簡略化するために、ここではその説明を省略している。さらに、表示期間ｂでのデータドライバ１２およびゲートドライバ１３の駆動方法や、チャージポンプ回路１４の詳細動作などについては、本願発明とは直接関係がなく、説明を簡略化するために、ここではその説明を省略している。
【特許文献１】特開平３−１４９５２０号公報
【特許文献２】特開２００１−１８３７０２号公報
【発明の開示】
【発明が解決しようとする課題】
【００２０】
上記従来の液晶表示装置では、液晶は自発光素子ではないため、液晶表示部１１が透過型である場合には、バックライト（図示せず）が液晶パネル１の背面に搭載され、その光を液晶層にて遮光するか、遮光しないか（透過させるか）によって、画像が表示されるようになっている。この場合には、バックライトが点灯されていないと、液晶表示部１１は黒表示状態のままである。このため、透過型液晶パネルでは、電源電圧ＶＤＤの投入以降、表示期間ｂになって液晶表示が行われるまでは、バックライトが点灯されずに黒表示とされ、液晶表示部２において安定表示が開始されてからバックライトが点灯されていた。
【００２１】
しかしながら、反射型や微反射型、または半透過型と言われる反射型表示モードを有する液晶パネルでは、バックライトを用いなくても、外光のみによって液晶表示を行うことが可能である。したがって、反射型表示モードを有する液晶パネルの場合、透過型と同様にバックライトによる制御を行っても、バックライトが点灯される前に液晶パネルの表示を目視にて確認することができる。この場合に生じる問題について以下に説明する。
【００２２】
図１４は、図１２の画素部の基本構成を示す回路図であり、図１５は、初期化期間ａにおける従来の液晶パネルの動作を説明するための各部の電圧レベルを示す図である。
【００２３】
図１４に示すように、データライン１１１にソース電極が接続されているＴＦＴのドレイン電極側に、画素電極ＶＤとこれに液晶材料を介して対向する対向電極ＶＣＯＭとの間の表示電圧によって発生する電荷Ｑ１と、補助容量Ｃｓの一方電極の電圧と他方電極の電圧ＧＶＤＤとによって発生する電荷Ｑ２とが存在する。
【００２４】
ここで、初期化期間ａの状態について考えると、ＴＦＴはＯＦＦ状態であり、対向電極ＶＣＯＭの電位はＧＮＤレベルである。このため、電荷Ｑ１は「０」であるが、電荷Ｑ２は電圧ＧＶＤＤによって発生している。このとき、ＴＦＴがＯＦＦ状態であり、補助容量Ｃｓから液晶容量Ｃｌｃに至る直列接続が形成されていると見なすことが可能であるため、電荷量Ｑ（Ｑ１＝Ｑ２）は、液晶容量Ｃｌｃの容量値をＣｌｃ、補助容量Ｃｓの容量値をＣｃｓとすると、
【００２５】
【数１】
2005091636.tif 000003
によって表すことができる。また、その際の液晶印加電圧Ｖは、
【００２６】
【数２】
2005091636.tif 000004
となる。
【００２７】
図１５において、この場合の各画素部の液晶印加電圧Ｖを実線で表わし、その変動範囲を点線で表わしている。
【００２８】
例えば液晶容量値Ｃｌｃと補助容量値Ｃｃｓとが同じ値（Ｑ１＝Ｑ２）である場合には、画素部Ｃｘｙの液晶容量値Ｃｌｃには電圧ＧＶＤＤの１／２の電圧が印加されることになる。このように、例えばＴＮ液晶を用いた場合に、画素部Ｃｘｙに電圧を印加することによって黒表示が行われる。このため、電圧ＧＶＤＤの値が大きいほど、補助容量値Ｃｃｓが液晶容量値Ｃｌｃよりも大きいほど、画素部Ｃｘｙに大きな電圧が印加され、液晶表示部１１の液晶表示が黒くなる傾向にある。このため、初期化期間ａであるにも関わらず、液晶表示部１１では何らかの表示が行われることになる。
【００２９】
なお、液晶容量値Ｃｌｃと補助容量値Ｃｃｓとは、製造プロセスのばらつきや表示面内のばらつきなどによって、一様の値になっている訳ではなく、実際には画素部単位でばらついている。このため、図１５に電圧Ｖの点線で示すように、各画素部Ｃｘｙの液晶に印加される電圧Ｖは、全て同じではなく、結果的に表示面内にて明暗が発生するなど、表示ばらつきが確認されることがある。
【００３０】
また、実際のＴＦＴは、完璧なスイッチ素子ではなく、ＯＦＦ状態であっても電流が流れている。特に、低温プロセスで作製されるポリシリコンを用いたＴＦＴなどでは、その傾向が顕著である。このため、液晶容量Ｃｌｃと補助容量ＣｓからＴＦＴを介してデータライン１１１に電流が流れ、電荷が抜けていくという現象が発生する。このため、実際に安定化される電圧レベルは、上記式２に示す値とは若干ずれることになる。
【００３１】
このＴＦＴのＯＦＦ状態の抵抗値についてもばらつきがあるため、電荷の抜け方に差が発生し、画素部Ｃｘｙに印加される電圧Ｖもばらついて、表示面内の輝度ばらつきが発生する。また、ＯＰＥＮ状態であるはずのデータライン１１１に対して電荷が供給されていることになるため、そのデータライン１１１を介して電荷がやり取りされることによって、データライン単位ですじのような表示が見えることがある。さらに、実際の液晶パネル１では、その他に様々な寄生容量や寄生抵抗があるため、これらのばらつきや電流経路によって、様々な表示状態になると考えられる。
【００３２】
上記特許文献１には、電圧ＧＶＤＤの開始タイミングに関する記述はなく、特許文献２には、ＤＣ／ＤＣコンバータの動作開始タイミングに関する記述は見られない。
【００３３】
本発明は、上記従来の問題を解決するもので、電源投入時に表示媒体に不要な電圧が印加されることによる表示ムラやスジなどの表示不具合を抑制できる表示装置およびその駆動方法を提供することを目的とする。
【課題を解決するための手段】
【００３４】
本発明の表示装置は、外部制御信号を出力可能とする制御信号出力手段と、該外部制御信号により電源電圧を所定の電圧に昇電圧開始して表示部に表示駆動用電圧として出力する昇電圧回路とを有する表示装置において、該制御信号出力手段は、該昇電圧回路への外部制御信号の出力開始タイミングを、該表示部の表示開始タイミングから所定期間内に行うように出力制御しており、そのことにより上記目的が達成される。
【００３５】
また、好ましくは、本発明の表示装置における制御信号出力手段は、前記昇電圧回路への外部制御信号の出力開始タイミングを、前記表示部の表示開始タイミングに合わせるように出力制御する。
【００３６】
本発明の表示装置は、入力外部制御信号により電源電圧を所定の電圧に昇電圧開始して表示部に表示駆動用電圧として出力する昇電圧回路を有し、入力初期化信号に基づく該表示部の初期化期間の後に表示動作を行う表示装置において、該昇電圧回路は、該初期化信号に基づいて該表示部の表示開始タイミングまたは、該表示開始タイミングから所定期間まで昇電圧出力を停止制御しており、そのことにより上記目的が達成される。
【００３７】
さらに、好ましくは、本発明の表示装置における昇電圧回路は、前記初期化信号に基づいて前記表示部の表示開始タイミングまたは、該表示開始タイミングから所定期間まで昇電圧動作を停止制御する。
【００３８】
さらに、好ましくは、本発明の表示装置における表示部には、走査配線が平行に複数設けられ、信号配線が該複数の走査配線と交叉するように平行に複数設けられ、両配線の交叉部毎に画素部がそれぞれマトリクス状に配設されている。
【００３９】
さらに、好ましくは、本発明の表示装置における画素部は、前記交叉部近傍の走査配線が制御領域に接続され、該交叉部近傍の信号配線が一方駆動領域に接続されたスイッチング素子と、該スイッチング素子の他方駆動領域に接続された画素容量部および補助容量部とを有する。
【００４０】
さらに、好ましくは、本発明の表示装置において、走査配線を選択的に順次駆動するゲートドライバと、前記信号配線を選択的に順次駆動するデータドライバとを有する。
【００４１】
さらに、好ましくは、本発明の表示装置における昇電圧回路は、外部制御信号および初期化信号を入力として内部信号を出力する入力制御部と、該内部信号に基づいて昇電圧動作を開始する昇電圧部とを有する。
【００４２】
さらに、好ましくは、本発明の表示装置における入力制御部は、前記初期化信号が”Ｈ”レベルのときに前記昇電圧部が非アクティブとなる信号を該内部信号として該昇電圧部に出力し、該初期化信号が”Ｌ”レベルのときに前記外部制御信号をそのまま該内部信号として該昇電圧部に出力するように制御する。
【００４３】
さらに、好ましくは、本発明の表示装置における入力制御部は、前記初期化信号を入力端に入力する信号反転手段と、該信号反転手段からの出力および前記外部制御信号をそれぞれ両入力とする論理和手段とを有する。
【００４４】
さらに、好ましくは、本発明の表示装置における昇電圧回路は、前記外部制御信号に基づいて昇電圧動作を開始して昇電圧した出力電圧を出力する昇電圧部と、前記初期化信号および該出力電圧を入力とし、初期化信号に基づく前記表示部の初期化期間の終了時から所定期間内に該出力電圧を出力制御する出力制御部とを有する。
【００４５】
さらに、好ましくは、本発明の表示装置における出力制御部は、前記初期化信号が”Ｈ”レベルのときにグランドレベルの出力電圧を出力し、該初期化信号が”Ｌ”レベルのときに該昇電圧部で昇電圧した出力電圧を出力する。
【００４６】
さらに、好ましくは、本発明の表示装置における出力制御部は、前記初期化信号に基づいて出力を切り換えるスイッチング手段を有する。
【００４７】
さらに、好ましくは、本発明の表示装置における初期化信号は、前記ゲートドライバの初期化信号を用いている。
【００４８】
さらに、好ましくは、本発明の表示装置における外部制御信号は、前記データドライバのクロック信号を用いている。
【００４９】
さらに、好ましくは、本発明の表示装置における表示部の表示期間には、前記補助容量部のスイッチング素子側とは反対側の電極に、前記昇電圧回路で昇電圧した出力電圧が印加されている。
【００５０】
さらに、好ましくは、本発明の表示装置における表示部の初期化期間には、前記補助容量部のスイッチング素子側とは反対側の電極に、前記液晶容量部のスイッチング素子側とは反対側の対向電極に印加される対向電圧レベルと同じレベルの電圧が印加されている。
【００５１】
さらに、好ましくは、本発明の表示装置において、昇電圧回路で昇電圧した出力電圧は、前記スイッチング素子の制御電圧にも用いられている。
【００５２】
さらに、好ましくは、本発明の表示装置における表示部、データドライバ、ゲートドライバおよび昇電圧回路は、低温プロセスで作製されたポリシリコンを用いて構成されている。
【００５３】
さらに、好ましくは、本発明の表示装置における表示部は反射型表示モードを有する。
【００５４】
さらに、好ましくは、本発明の表示装置における昇電圧回路はチャージポンプ回路である。
【００５５】
本発明の表示装置の駆動方法は、入力された外部制御信号に基づいて電源電圧を昇電圧開始して得た表示駆動用電圧を用いて表示部に表示を行う表示装置の駆動方法において、該表示部による表示期間直前の初期化期間の終了時から所定期間内に、該外部制御信号の出力を開始して、表示のために該電源電圧を昇電圧開始しており、そのことにより上記目的が達成される。
【００５６】
本発明の表示装置の駆動方法は、入力された外部制御信号に基づいて電源電圧を昇電圧開始して表示部に表示駆動用電圧として出力して、入力された初期化信号に基づく該表示部の初期化期間の後に表示動作を行う表示装置の駆動方法において、該初期化信号による該表示部の表示開始タイミングまたは、該表示開始タイミンから所定期間まで昇電圧出力を停止制御しており、そのことにより上記目的が達成される。
【００５７】
本発明の表示装置の駆動方法は、入力された外部制御信号に基づいて電源電圧を昇電圧開始して表示部に表示駆動用電圧として出力して、入力された初期化信号に基づく該表示部の初期化期間の後に表示動作を行う表示装置の駆動方法において、前記初期化信号による該表示部の表示開始タイミングまたは、該表示開始タイミングから所定期間まで昇電圧動作を停止制御しており、そのことにより上記目的が達成される。
【００５８】
上記構成により、以下に、本発明の作用について説明する。
【００５９】
本発明にあっては、ＴＦＴのＯＮ電圧（制御電圧または走査電圧）である出力電圧ＧＶＤＤなどを作成するための昇電圧回路としてのチャージポンプ回路を備えた表示装置において、チャージポンプ回路への外部制御信号の開始タイミングを表示部の表示開始タイミングと同じに制御して、表示期間前にチャージポンプ回路を動作させないように制御する。または、初期化信号をチャージポンプ回路に入力させて、チャージポンプ回路を表示期間前に動作させないようにする。または、初期化信号をチャージポンプ回路に入力させて、表示期間前にチャージポンプ回路から電圧ＧＶＤＤを出力させないように制御する。
【００６０】
これにより、表示期間前に補助容量Ｃｓに電圧ＧＶＤＤが印加されないようにすることができるため、電源投入時に液晶などの表示媒体に不必要な電圧が印加されることを防いで、表示部の表示ムラやスジなどの表示不具合を抑制することができる。
【００６１】
この外部制御信号としては、データドライバのクロック信号ＳＣＫなどを用いることができ、初期化信号としては、ゲートドライバの初期化信号ＩＮＩなどを用いることができて、新たに制御信号を設ける必要がない。
【発明の効果】
【００６２】
本発明によれば、電源投入時に、表示期間前に補助容量Ｃｓを介して液晶容量Ｃｌｃに不必要な電圧がかからないようにすることができるため、表示媒体に不要な電圧が印加されることによる表示ムラやスジなど、不具合な画面表示を回避することができる。
【発明を実施するための最良の形態】
【００６３】
以下に、本発明の表示装置およびその駆動方法の実施形態１〜３を、アクティブマトリクス型液晶表示装置およびその駆動方法に適用した場合について説明する。
【００６４】
（実施形態１）
図１は、本発明のアクティブマトリクス型液晶表示装置の実施形態１における要部構成を示すブロック図である。なお、図１において、図１２の構成部材と同一の作用効果を奏する部材には同一の符号を付してその説明を省略する。
【００６５】
図１に示すように、アクティブマトリクス型液晶表示装置１０は、画像表示画面部を構成する液晶パネル１と、これを表示制御する制御信号として初期化信号ＩＮＩおよび外部制御信号ＳＣＫを出力する制御信号出力手段としての制御信号出力部２Ａとを有している。本実施形態１のアクティブマトリクス型液晶表示装置１０が従来のアクティブマトリクス型液晶表示装置１００と異なる点は、外部制御信号ＳＣＫの出力開始タイミングを、液晶表示部１１の表示開始タイミングと同じタイミングに制御する点である。この場合、外部制御信号ＳＣＫは、制御信号出力部２Ａ（外部信号出力回路）によって出力タイミングの制御が行われる。この外部制御信号ＳＣＫによって、昇電圧回路としてのチャージポンプ回路１４に入力される電源電圧ＶＤＤを昇圧し、その出力電圧ＧＶＤＤを作成する。
【００６６】
上記構成により、本実施形態１のアクティブマトリクス型液晶表示装置１０の動作について説明する。
【００６７】
図２は、図１の制御信号出力部２Ａから液晶パネル１に入力される各信号電圧、電源電圧、図１のチャージポンプ回路１４の出力電圧の信号波形図である。図２では、入力電源電圧ＶＤＤ、初期化信号ＩＮＩ、外部制御信号ＳＣＫおよび出力電圧ＧＶＤＤについて、電源投入時に、入力電源電圧ＶＤＤがＧＮＤレベルより所定の電源電圧まで上昇し、実際に液晶表示部で液晶表示が開始されるまでの期間の各信号波形を示している。
【００６８】
図２に示すように、入力電源電圧ＶＤＤがＧＮＤレベル（接地レベル；０Ｖ）から所定の電圧値まで上昇する際に、まず、制御信号出力部２Ａからゲートドライバ１３に初期化信号ＩＮＩが出力されて立ち上げられる。その所定期間後、この初期化信号ＩＮＩが立ち下げられて初期化期間ａが終了すると共に、この立ち下がり時点で外部制御信号ＳＣＫの入力が開始され（立ち上げられ）、表示期間ｂの開始タイミングにて出力電圧ＧＶＤＤが立ち上げられる。
【００６９】
これにより、初期化期間ａでは、チャージポンプ回路１４からの出力電圧ＧＶＤＤはＧＮＤレベルであるため、補助容量Ｃｓを介して画素部Ｃｘｙに電圧が印加されることはない。また、この表示期間ｂでは、データドライバ１２やゲートドライバ１３は駆動されており、画素部ＣｘｙにはＴＦＴを介して所望の表示電圧が印加されるため、チャージポンプ回路１４からの出力電圧ＧＶＤＤが所定の電圧となって、補助容量ＣｓのＴＦＴ側とは反対側の電極に印加されても何ら問題は生じない。従来技術のように初期化期間ａ内に画素部Ｃｘｙに不必要な電圧（表示電圧以外の電圧）が印加されることがない。このため、従来のような表示ムラやスジなどが表示画面上に現れることはなく、良好な表示状態とすることができる。
【００７０】
（実施形態２）
上記実施形態１では、制御信号出力部２Ａからチャージポンプ回路１４に外部制御信号ＳＣＫが入力開始されるタイミングを、チャージポンプ回路１４から液晶表示部１１にその表示開始タイミングと同じタイミングに出力電圧ＧＶＤＤを出力制御する場合について説明したが、本実施形態２では、後述するチャージポンプ回路１４Ａに初期化信号ＳＣＫを入力させて、液晶表示部１１の表示開始タイミングまで、チャージポンプ回路１４の動作を停止させる場合について説明する。
【００７１】
図３は、本発明のアクティブマトリクス型液晶表示装置の実施形態２における要部構成を示すブロック図であり、図４は、図３のチャージポンプ回路１４Ａの内部構成を示すブロック図である。なお、図３において、図１２の構成部材と同一の作用効果を奏する部材には同一の符号を付してその説明を省略する。
【００７２】
図３に示すように、本実施形態２のアクティブマトリクス型液晶表示装置２０は、画像表示画面部を構成する液晶パネル１Ａと、これを表示制御する制御信号として初期化信号ＩＮＩおよび外部制御信号ＳＣＫを出力する制御信号出力部２とを有している。本実施形態２のアクティブマトリクス型液晶表示装置２０が従来のアクティブマトリクス型液晶表示装置１００と異なる点は、液晶表示部１１の表示期間ｂの開始タイミングまでチャージポンプ動作を停止制御するチャージポンプ回路１４Ａを設けた点である。
【００７３】
チャージポンプ回路１４Ａは、図４に示すように、入力制御信号として外部制御信号ＳＣＫおよび初期化信号ＩＮＩを入力として内部信号Ｃｉｎを出力する入力制御部１４１と、この内部信号Ｃｉｎに基づいて、電源電圧ＶＤＤを昇電圧するチャージポンプ動作を開始するチャージポンプ部１４２とを有している。
【００７４】
上記構成により、以下に、アクティブマトリクス型液晶表示装置２０の動作について説明する。
【００７５】
図５は、図３の制御信号出力部２から液晶パネル１Ａに入力される各信号電圧、電源電圧、図４のチャージポンプ回路１４Ａの内部信号Ｃｉｎおよび出力電圧ＧＶＤＤの信号波形図である。図５では、入力電源電圧ＶＤＤ、初期化信号ＩＮＩ、外部制御信号ＳＣＫ、内部信号Ｃｉｎおよび出力電圧ＧＶＤＤについて、電源投入時に、入力電源電圧ＶＤＤがＧＮＤレベル（接地電圧）より所定の電源電圧まで上昇し、実際に液晶表示が開始されるまでの期間の各信号波形を示している。
【００７６】
図５に示すように、まず、初期化信号ＩＮＩが制御信号出力部２からチャージポンプ回路１４Ａの入力制御部１４１に入力される。所定時間後、外部制御信号ＳＣＫが制御信号出力部２から入力制御部１４１に入力される。入力制御部１４１では、初期化信号ＩＮＩが“Ｈ”レベルのときに、チャージポンプ部１４２が非アクティブとなるように、内部信号Ｃｉｎとして外部制御信号ＳＣＫは出力されず、例えば“Ｌ”レベルとなっている。即ち、入力制御部１４１は、初期化信号ＩＮＩが“Ｈ”レベルであるときに内部信号Ｃｉｎが“Ｌ”レベルになるように構成されており、初期化信号ＩＮＩが“Ｈ”レベルの期間は、外部制御信号ＳＣＫが入力されても、チャージポンプ部１４２に入力される内部信号Ｃｉｎは“Ｌ”レベルであって、チャージポンプ部１４２は動作しない。
【００７７】
次に、初期化信号ＩＮＩが“Ｌ”レベルになるときに、制御信号出力部２からの外部制御信号ＳＣＫが内部信号Ｃｉｎとしてそのまま入力制御部１４１から出力される。即ち、チャージポンプ回路１４Ａ内の入力制御部１４１には、外部制御信号ＳＣＫおよび初期化信号ＩＮＩが入力されており、入力制御部１４１から内部信号Ｃｉｎがチャージポンプ部１４２に供給される。
【００７８】
これによって、チャージポンプ部１４２は、初期化信号ＩＮＩが“Ｈ”レベルの期間は動作しなくなるため、初期化信号ＩＮＩが立ち下げられて初期化期間ａが終了した時点からチャージポンプ部１４２のチャージポンプ動作が開始されて出力電圧ＧＶＤＤが出力する。
【００７９】
この場合、上記実施形態１（図２）に示す外部制御信号ＳＣＫのような入力信号波形（立ち上がりタイミング）とする必要はなく、従来技術の図１３に示す外部制御信号ＳＣＫのような入力信号波形（立ち上がりタイミング）でも対応可能である。
【００８０】
図６は、図４の入力制御部１４１の内部構成を示す回路図である。
【００８１】
図６に示すように、入力制御部１４１は、初期化信号ＩＮＩを入力端に入力する信号反転手段としてのインバータ１４１ａと、インバータ１４１ａからの出力（初期化信号ＩＮＩの反転出力）および外部制御信号ＳＣＫを入力とする論理和手段としてのアンドゲート１４１ｂとを有している。
【００８２】
上記構成により、入力制御部１４１の動作を更に詳細に説明すると、まず、インバータ１４１ａの入力端には初期化信号ＩＮＩが入力され、アンドゲート１４１ｂの両入力端には外部制御信号ＳＣＫとインバータ１４１ａの出力とがそれぞれ入力されている。これによって、初期化信号ＩＮＩが“Ｈ”レベルであるときにはインバータ１４１ａの出力の内部信号Ｃｉｎは“Ｌ”レベルになる。また、初期化信号ＩＮＩが“Ｌ”レベルのときには、外部制御信号ＳＣＫが内部信号Ｃｉｎとしてそのまま、アンドゲート１４１ｂから出力される。
【００８３】
したがって、従来のように初期化期間ａには出力電圧ＧＶＤＤが立ち上がらず、画素部Ｃｘｙに不必要な表示電圧がかかることがないことから、従来のような表示ムラやスジなどが表示画面上に現れることはなく、良好な表示状態とすることができる。
【００８４】
（実施形態３）
上記実施形態２では、液晶表示部１１の表示期間ｂの開始タイミングまでチャージポンプ部１４２のチャージポンプ動作を停止制御する場合について説明したが、本実施形態３では、液晶表示部１１の表示期間ｂの開始タイミングまでチャージポンプ部１４２からの出力を停止制御する場合について説明する。
【００８５】
図７は、本発明のアクティブマトリクス型液晶表示装置の実施形態３における要部構成を示すブロック図であり、図８は、図７のチャージポンプ回路１４Ｂの内部構成を示すブロック図である。なお、図７において、図１２の構成部材と同一の作用効果を奏する部材には同一の符号を付してその説明を省略する。
【００８６】
図７に示すように、本実施形態３のアクティブマトリクス型液晶表示装置３０は、画像表示画面部を構成する液晶パネル１Ｂと、これを表示制御する制御信号として初期化信号ＩＮＩおよび外部制御信号ＳＣＫを出力する制御信号出力部２とを有している。本実施形態３のアクティブマトリクス型液晶表示装置３０が従来のアクティブマトリクス型液晶表示装置１００と異なる点は、液晶表示部１１の表示開始タイミングまでチャージポンプ部１４２からの出力を停止制御するチャージポンプ回路１４Ｂを設けた点である。
【００８７】
チャージポンプ回路１４Ｂは、図８に示すように、入力制御信号としての外部制御信号ＳＣＫに基づいて、電源電圧ＶＤＤを所定の電源電圧に昇電圧するチャージポンプ動作を開始して内部信号Ｃｏｕｔを出力するチャージポンプ部１４２と、初期化信号ＩＮＩおよび内部信号Ｃｏｕｔを入力とし、初期化信号ＩＮＩの立ち下がり時点で内部信号Ｃｏｕｔを出力電圧ＧＶＤＤとして出力制御とする出力制御部１４３とを有している。
【００８８】
上記構成により、以下に、アクティブマトリクス型液晶表示装置３０の動作について説明する。
【００８９】
図９は、図７の制御信号出力部２から液晶パネル１Ｂに入力される各信号電圧、電源電圧、図８のチャージポンプ回路１４Ｂの内部信号Ｃｏｕｔおよび出力電圧ＧＶＤＤの信号波形図である。図９では、入力電源電圧ＶＤＤ、初期化信号ＩＮＩ、外部制御信号ＳＣＫ、内部信号Ｃｏｕｔおよび出力電圧ＧＶＤＤについて、電源投入時に、入力電源電圧ＶＤＤがＧＮＤレベル（接地電圧）より所定の電源電圧まで上昇し、実際に液晶表示が開始されるまでの期間の各信号波形を示している。
【００９０】
図９に示すように、チャージポンプ回路１４Ｂに入力された外部制御信号ＳＣＫおよび初期化信号ＩＮＩは、チャージポンプ部１４２に入力され、その出力電圧の内部信号Ｃｏｕｔが出力制御部１４３に入力される。出力制御部１４３では、初期化信号ＩＮＩが“Ｈ”レベルのときには、ＧＮＤレベル（接地レベル；０Ｖ）が出力される。また、初期化信号ＩＮＩが“Ｌ”レベルのときには、内部信号Ｃｏｕｔが出力電圧ＧＶＤＤ（昇電圧された所定の電源電圧）として出力される。
【００９１】
これによって、チャージポンプ回路１４Ｂは、初期化信号ＩＮＩが“Ｈ”レベルの期間はＧＮＤレベルが出力されるため、初期化信号ＩＮＩが立ち下げられて初期化期間ａが終了した時点でチャージポンプ回路１４Ｂから出力電圧ＧＶＤＤが出力される。
【００９２】
チャージポンプ回路１４Ｂ内の出力制御部１４３には、初期化信号ＩＮＩが入力されており、チャージポンプ部１４Ｂの出力電圧Ｃｏｕｔが出力制御部１４３によって出力制御（停止制御）される。出力制御部１４３は、初期化信号ＩＮＩが“Ｈ”レベルのときに電圧Ｃｏｕｔを電圧ＧＶＤＤとして出力せずに、ＧＮＤレベル（接地レベル；０Ｖ）を出力する。初期化信号ＩＮＩが“Ｈ”レベル期間は、チャージポンプ部１４Ｂがチャージポンプ動作をしていても、チャージポンプ動作をしていなくても、チャージポンプ部１４２の後段の出力制御部１４３側で出力停止制御が為されているので、チャージポンプ回路１４Ｂからの出力電圧としては接地レベルとなる。
【００９３】
この場合、チャージポンプ部１４２の後段の出力制御部１４３側で停止制御されているので、上記図２に示すような入力信号波形とする必要はなく、従来技術の図１３に示すような入力信号波形としても対応可能である。
【００９４】
図１０は、図８の出力制御部１４３の内部構成を示す回路図である。
【００９５】
図１０に示すように、出力制御部１４３はスイッチング手段（制御スイッチ）によって構成されている。このスイッチング手段は初期化信号ＩＮＩによってオンオフ制御され、内部信号Ｃｏｕｔの電圧（出力電圧ＧＶＤＤ）とＧＮＤ電圧（接地電圧；０Ｖ）とが切り替えられるようになっている。
【００９６】
この構成によって、初期化信号ＩＮＩが“Ｈ”レベルのときには、出力電圧ＧＶＤＤとしてＧＮＤ電圧（接地電圧；０Ｖ）が出力され、初期化信号ＩＮＩが“Ｌ”レベルのときには、出力電圧ＧＶＤＤとして内部信号Ｃｏｕｔの電圧（昇電圧された電源電圧）が出力される。これにより、従来のように、初期化期間ａに出力電圧ＧＶＤＤが立ち上がらず、画素部Ｃｘｙの液晶容量部に不必要な電圧が表示電圧としてかかることがないことから、電源投入時に表示媒体に不要な電圧が印加されることに起因する表示ムラやスジなどが表示画面に現れることはなく、良好な表示状態とすることができる。
【００９７】
以上により、上記実施形態１〜３によれば、表示駆動用の電源電圧として通常の電源電圧ＶＤＤを昇電圧して出力電圧ＧＶＤＤを得るチャージポンプ回路を有するアクティブマトリクス型液晶表示装置において、外部制御信号ＳＣＫの開始タイミングを液晶表示部１１の表示開始タイミングと同じに制御して、表示期間ｂ前にチャージポンプ回路を動作させないようにする。また、初期化信号ＩＮＩをチャージポンプ回路に入力し、初期化信号ＩＮＩに基づいてチャージポンプ回路を表示期間ｂ前に動作させないようにするか、または出力電圧ＧＶＤＤを出力させないように停止制御をする。これにより、表示期間ｂ前に補助容量Ｃｓの他方電極に出力電圧ＧＶＤＤは印加されない。これによって、電源投入時に各画素部の液晶に不必要な電圧が印加されることを防いで、表示不具合を抑制することができる。
【００９８】
なお、上記実施形態１〜３において、初期化期間ａで対向電極ＶＣＯＭの対向電圧と、付加容量部のＴＦＴ側とは反対側の電極電圧ＧＶＤＤとに電位差が発生することが不具合の原因であることから、対向電極ＶＣＯＭの電圧と、付加容量部のＴＦＴ側とは反対側の電極電圧ＧＶＤＤとは同電位とする必要があり、例えば対向電極ＶＣＯＭの対向電圧がＧＮＤレベル（接地レベル；０Ｖ）であれば、付加容量部のＴＦＴ側とは反対側の電極電圧ＧＶＤＤもＧＮＤレベル（接地レベル；０Ｖ）とすることが必要である。
【００９９】
また、初期化期間ａの終了後すぐに、チャージポンプ回路からの出力電圧ＧＶＤＤを立ち上げる必要はなく、図１１に示すように、初期化期間ａと表示期間ｂとの間に所定期間の非表示期間ｃを設けて、非表示期間ｃでは外部制御信号ＳＣＫを入力せずに出力電圧ＧＶＤＤを立ち上げないようにし、その他の表示用信号を非表示期間ｃに入力させないようにしてもよい。これにより、非表示期間ｃにも画素部毎の液晶に不必要な電圧が印加されることがないため、表示ムラやスジなどが表示画面に現れることはない。この非表示期間ｃの長さについては、長くても問題はないが、この期間が長くなると、液晶表示までに時間がかかることになるため、利便性を考えると、長くすることに利点はない。
【０１００】
また、上記実施形態１〜３では、チャージポンプ回路１４、１４Ａ、１４Ｂを動作させる外部制御信号として、データドライバ１２のクロック用として入力されている信号ＳＣＫを用いているが、これは一例であり、その他のチャージポンプ回路以外に用いられている信号を兼用してもよく、また、チャージポンプ回路の制御用に専用の制御信号を用意することも可能である。
【０１０１】
また、上記実施形態１〜３では、低温プロセスで作製されたポリシリコンを用いて、１枚のガラス基板上に全ての機能を作り込んだ場合を示しているが、例えば、データドライバ１２、ゲートドライバ１３およびチャージポンプ回路１４または１４Ａ、１４Ｂは、同一のガラス基板上に作製されたものでなくてもよく、外部ＩＣなどを利用してもよい。
【０１０２】
さらに、液晶表示部１１の液晶モードが反射型表示モードを有する場合に対して不具合が発生しやすいと説明してきたが、これに限定されず、反射型表示モードを有していない、透過型表示装置においても、本発明を適用することは可能である。
【産業上の利用可能性】
【０１０３】
例えば携帯電話装置、液晶テレビジョンおよびパーソナルコンピュータなどの表示画面部に用いられるアクティブマトリックス型液晶表示装置などの表示装置の分野において、電源投入時に液晶に不必要な電圧が印加されることを防いで、電源投入時の表示不具合を抑制することができる。特に、反射型や微反射型、あるいは半透過型など、外光を利用して表示が行われる反射型表示モードを有する表示装置に有効であり、携帯型電子機器の表示装置として広く利用することができる。
【図面の簡単な説明】
【０１０４】
【図１】本発明のアクティブマトリクス型液晶表示装置の実施形態１における要部構成を示すブロック図である。
【図２】図１の制御信号出力部から液晶パネルに入力される各信号電圧、電源電圧、図１のチャージポンプ回路の出力電圧の信号波形図である。
【図３】本発明のアクティブマトリクス型液晶表示装置の実施形態２における要部構成を示すブロック図である。
【図４】図３のチャージポンプ回路の内部構成を示すブロック図である。
【図５】図３の制御信号出力部２から液晶パネルに入力される各信号電圧、電源電圧、図４のチャージポンプ回路の内部信号および出力電圧の信号波形図である。
【図６】図４の入力制御部の内部構成を示す回路図である。
【図７】本発明のアクティブマトリクス型液晶表示装置の実施形態３における要部構成を示すブロック図である。
【図８】図７のチャージポンプ回路の内部構成を示すブロック図である。
【図９】図７の制御信号出力部から液晶パネルに入力される各信号電圧、電源電圧、図８のチャージポンプ回路の内部信号および出力電圧の信号波形図である。
【図１０】図８の出力制御部１４３の内部構成を示す回路図である。
【図１１】本発明のアクティブマトリクス型液晶表示装置の実施形態１〜３とは別の実施形態における制御信号出力部から液晶パネルに入力される各信号電圧、電源電圧、図８のチャージポンプ回路の内部信号およびその出力電圧の信号波形図である。
【図１２】従来のアクティブマトリクス型液晶表示装置の要部構成を示すブロック図である。
【図１３】図１２の制御信号出力部から液晶パネルに入力される各信号電圧、電源電圧、図１２のチャージポンプ回路の出力電圧の信号波形図である。
【図１４】図１２の画素部の基本構成を示す回路図である。
【図１５】初期化期間における従来の液晶パネルの動作を説明するための各部の電圧レベルを示す図である。
【符号の説明】
【０１０５】
１  液晶パネル
１１  液晶表示部
１１１  データライン
１１２  ゲートライン
１２  データドライバ
１３  ゲートドライバ
１４、１４Ａ，１４Ｂ  チャージポンプ回路
１４１  入力制御部
１４１ａ  インバータ
１４１ｂ  アンドゲート
１４２  チャージポンプ部
１４３  出力制御部
２  制御信号出力部
１０，２０，３０  アクティブマトリクス型液晶表示装置
【図１】
2005091636.tif 000005
【図２】
2005091636.tif 000006
【図３】
2005091636.tif 000007
【図４】
2005091636.tif 000008
【図５】
2005091636.tif 000009
【図６】
2005091636.tif 000010
【図７】
2005091636.tif 000011
【図８】
2005091636.tif 000012
【図９】
2005091636.tif 000013
【図１０】
2005091636.tif 000014
【図１１】
2005091636.tif 000015
【図１２】
2005091636.tif 000016
【図１３】
2005091636.tif 000017
【図１４】
2005091636.tif 000018
【図１５】
2005091636.tif 000019